(57)【要約】【課題】  簡単な作業により、試験時における受験者によるカンニングなどの不正行為の防止を目的とした試験用紙を作成することができる不正防止用試験問題作成システムを提供する。【解決手段】  複数の設問を有し、各設問を囲む指定枠が設定されると共に、各設問の正解データが付与される試験問題の問題データを作成する問題データ作成手段及び前記問題データを格納する問題データ記憶手段を備える端末装置と、記録用紙へ試験問題を形成する出力装置とから構成され、前記端末装置は、前記指定枠に囲まれた領域の順序を任意に入れ替えると共に、当該指定枠を削除し、前記試験問題の処理済問題データを作成する指定枠入替手段と、前記処理済問題データを格納する処理済問題データ記憶手段とを備え、前記出力装置は、前記処理済問題データ記憶手段に基づき記録用紙へ不正防止用試験問題を形成することを特徴とするものである。【選択図】          図５
2006215382.tif 000002
【特許請求の範囲】
【請求項１】
試験においてカンニングなどの不正行為を防止する試験問題の作成システムであり、
複数の設問を有し、各設問を囲む所定の色或いは濃度の指定枠が設定されると共に、各設問の正解データが付与される試験問題の問題データを作成する問題データ作成手段及び前記問題データを格納する問題データ記憶手段を備える端末装置と、前記問題データ記憶手段に格納された問題データに基づき記録用紙へ試験問題を形成する出力装置とから構成され、
前記端末装置は、前記指定枠に囲まれた領域の順序を任意に入れ替えると共に、当該指定枠を削除し、前記指定枠の入れ替えられた順序に従い番号付替部により前記設問の番号を付け替え、暗号コード付与部により前記正解データの暗号コードを各設問に付与し、前記試験問題の処理済問題データを作成する指定枠入替手段と、前記処理済問題データを格納する処理済問題データ記憶手段とを備え、
前記出力装置は、前記処理済問題データ記憶手段に格納された前記処理済問題データに基づき記録用紙へ不正防止用試験問題を形成することを特徴とする不正防止用試験問題作成システム。
【請求項２】
前記試験問題の各設問が選択肢を有する場合において、前記指定枠入替手段は、前記問題データ作成手段によって設定された各設問を囲む指定枠及び各設問に属する選択肢を囲む指定枠の順序を入れ替え、前記暗号コード付与部は、前記選択肢の入れ替え順序に従い前記正解データを変更し、暗号コードを各設問に付与することを特徴とする請求項１に記載の不正防止用試験問題作成システム。
【請求項３】
前記試験問題の各設問の指定枠及び各設問に属する選択肢の指定枠が手書きにより設定されている場合において、画像読取装置により読取った当該試験問題の問題データを前記問題データ記憶手段に格納し、前記問題データ作成手段により各設問の正解データを付与することを特徴とする請求項１または２に記載の不正防止用試験問題作成システム。
【請求項４】
前記処理済問題データ記憶手段は、一つの前記試験問題に対し、複数の異なる前記処理済問題データを記憶することを特徴とする請求項１から３の何れかに記載の不正防止用試験問題作成システム。
【請求項５】
前記端末装置は、前記指定枠の色或いは濃度が予め登録され、前記問題データ記憶手段に格納された前記問題データの前記指定枠の色或いは濃度と、前記指定枠の登録された色或いは濃度とを照合することにより前記問題データの前記指定枠を検知する指定枠検知手段を備えることを特徴とする請求項１から４の何れかに記載の不正防止用試験問題作成システム。
【発明の詳細な説明】
【技術分野】
【０００１】
本発明は、試験において、受験者が他の受験者の解答を盗み見するカンニングなどの不正行為を防止することを目的とした試験問題を作成する技術に関する。
【背景技術】
【０００２】
【特許文献１】特開２００１−８０２４４号公報
【特許文献２】特開２００４−１４４９０３号公報
【０００３】
一般的に、試験を実施する際には、多数の受験者に対し、共通の試験問題が印字された問題用紙と、この試験問題に対する解答を記入する解答欄が設けられている解答用紙とが配布される。この時、各問題用紙には同じ配列で各設問が印字されており、各解答用紙には問題用紙に対応させて各設問に対する解答欄が印字されている。従って、各受験者は、同一の設問に対し、同一の解答欄に解答を記入するため、受験者が隣に着席している他の受験者の解答を盗み見することにより、カンニングなどの不正行為が可能となってしまう。このような不正行為を防ぐ方法としては、試験監督の数を増やし、試験中、複数の試験監督により不正行為を見張る方法や、各受験者を離して着席させることにより隣に着席している他の受験者の解答を見難くするなどの方法がある。しかし、前者であれば、試験監督の増員による人件費、後者であれば、受験者数の増加に伴い、より広いスペースの試験会場が必要となり借り入れ費用などがかさんでしまうといった問題があり、カンニングなどの不正行為を防止する対策が必要とされている。
【０００４】
そこで、複数の問題データが記憶された記憶手段と、前記記憶手段に記憶されたデータを抽出する抽出手段と、前記抽出手段で抽出した問題データを問題用紙に複数種類の異なる配列で割り付けることにより問題用紙の画像を作成する画像作成手段と、前記抽出手段で抽出するデータ及び前記画像作成手段での配列を指定する入力手段と、この画像作成手段で作成された画像を出力する画像出力手段とを備え、異なる順序の配列で問題が表示された問題用紙を有する試験用紙セット群を作成するシステムが提案されている(特許文献１)。しかし、問題用紙に異なる順序の配列で問題を表示し、かかる問題の順序に対応させて解答欄を表示しても、問題用紙及び解答用紙に配列の形式も表示されてしまうため、カンニングしようとしている受験者の近くに同じ配列の形式で受験している受験者が着席している場合には、解答を盗み見することができ、完全にカンニングなどの不正行為を防止することができないといった問題があった。
【０００５】
また、出題者が作成した設問文および複数の解答選択肢を配列してなるデータに基づき、シャフル手段により、小問の中での各解答選択肢の配列および／または試験問題の中の各小問の配列を変更する並べ替え処理を行うことにより複数種類の試験問題を作成し、これらを印刷装置で各問題用紙に印刷して各受験者に配布し、各受験者に対し異なる種類の試験問題を出題するシステムが提案されている(特許文献２)。しかし、個々の受験者に対する公平さはあるものの、問題作成にはコンピュータが介在し、そのシステムも大掛かりで複雑であり、試験問題を作成する以前にコンピュータ及びプログラム知識がなければ実行することが困難であり、国家試験規模でもない限り、手作業で数種類の試験用紙を作成する方が効率的であるといった問題があった。
【発明の開示】
【発明が解決しようとする課題】
【０００６】
本発明はこのような問題点に鑑みなされたものであり、その目的とするところは、簡単な作業により、試験時における受験者によるカンニングなどの不正行為の防止を目的とした試験用紙を作成することができる不正防止用試験問題作成システムを提供することにある。
【課題を解決するための手段】
【０００７】
前記目的を達成するために、本発明の不正防止用試験問題作成システムは、複数の設問を有し、各設問を囲む所定の色或いは濃度の指定枠が設定されると共に、各設問の正解データが付与される試験問題の問題データを作成する問題データ作成手段及び前記問題データを格納する問題データ記憶手段を備える端末装置と、前記問題データ記憶手段に格納された問題データに基づき記録用紙へ試験問題を形成する出力装置とから構成され、前記端末装置は、前記指定枠に囲まれた領域の順序を任意に入れ替えると共に、当該指定枠を削除し、前記指定枠の入れ替えられた順序に従い番号付替部により前記設問の番号を付け替え、暗号コード付与部により前記正解データの暗号コードを各設問に付与し、前記試験問題の処理済問題データを作成する指定枠入替手段と、前記処理済問題データを格納する処理済問題データ記憶手段とを備え、前記出力装置は、前記処理済問題データ記憶手段に格納された前記処理済問題データに基づき記録用紙へ不正防止用試験問題を形成することを特徴とするものである。
【０００８】
このような本発明の不正防止用試験問題作成システムにおいて、前記端末装置は、本体と、モニターと、キーボードとから成る一般的なコンピュータであればよい。そして、前記モニターに関しては、当該モニター上に表示されているボタンをユーザが指で触れることにより作動するタッチパネル式のものを適用することもできる。
【０００９】
前記問題データ作成手段は、ユーザが文字や図形などを編集できるワードプロセッサソフトを使用し、複数の設問を有する試験問題、或いは、複数の設問を有し、各設問が選択肢を有する試験問題を作成できるものでなければならない。そして、不正防止用の試験問題を作成する際に入れ替えられる各設問及び各設問に属する選択肢の領域を設定するため、各設問及び各選択肢を囲む矩形形状の指定枠を設定できるものであればよい。この時、前記指定枠については、予め所定の色或いは濃度を設定し、この設定された当該指定枠の所定の色或いは濃度を後述の指定枠検知手段に登録するとよい。また、前記試験問題の設問だけを入れ替えたいのであれば設問だけを、各設問及び各設問に属する選択肢を入れ替えたいのであれば設問及び当該設問に属する選択肢を前記指定枠により設定すればよく、目的に応じ適宜設定することができる。更に、前記問題データ作成手段は、各設問の正解データを付与できるものであるのがよく、各設問に前記指定枠を設定する場合においては、前記正解データを当該指定枠内に付与することが好ましい。このように、前記指定枠の設定及び前記正解データの付与により、前記問題データ作成手段により作成された問題データを基に不正防止用の試験問題を作成することが可能となる。尚、前記ワードプロセッサソフトに関しては、一般的に使用されているソフトや本システム専用のソフトの何れも適用でき、前記試験問題の作成、前記指定枠の設定及び前記正解データの付与を行えるものであればよい。
【００１０】
前記出力装置は、前記問題データ記憶手段に格納されている前記問題データから試験問題を、そして、後述の処理済問題データ記憶手段に格納されている前記処理済問題データから不正防止用試験問題をそれぞれ出力することができるものであればよい。具体的には、電子写真方式或いはインクジェット方式の何れかの方式を適用している画像形成装置が好ましい。
【００１１】
前記画像読取装置は、予め前記出力装置により記録用紙に形成され、手書きにより各設問及び各設問に属する選択肢の前記指定枠を設定された前記試験問題を読み取り、当該試験問題を電子データに変換できるものであればよい。例えば、一般的に使用されているスキャナやコピー機などの画像形成装置に装備されているスキャナ機能を前記画像読取装置として適用してもよい。
【００１２】
前記問題データ作成手段により作成された問題データ、或いは、前記指定枠が予め手書きされている試験問題を前記画像読取装置により読取った問題データを格納する前記問題データ記憶手段は、コンピュータのハードディスクや当該コンピュータに格納されている電子データを書き込み、記憶させることができるフロッピディスク、ＣＤ−Ｒ、ＭＯなどの記憶媒体であればよい。
【００１３】
前記指定枠検知手段は、前記問題データ記憶手段に格納されている問題データから、前記問題データ作成手段、或いは、手書きにより設定された前記指定枠を検知できればよい。この時、前記指定枠検知手段により検知させる前記指定枠については、所定の色或いは濃度を予め当該指定枠検知手段に登録させるとよい。これにより、前記問題データの前記指定枠の色或いは濃度と、前記指定枠検知手段に登録された色或いは濃度とを照合させ、前記指定枠を検知することが可能となる。また、各設問及び各設問に属する選択肢を手書きされた楕円により囲み前記指定枠を設定する場合には、閉ループ判定により前記試験問題上の座標における当該楕円の垂直方向の最小値及び水平方向の最大値を識別し、これらの値を対角に位置する頂点とする矩形形状の前記指定枠を設定させるとよい。これにより、前記問題データ記憶手段に格納されている問題データから前記指定枠を正確に検知することができる。
【００１４】
前記指定枠入替手段は、前記指定枠により囲まれた領域の順序を任意に入れ替えることができなければならない。そして、各設問の前記指定枠を入れ替える際には、入れ替え順序により、それぞれの前記指定枠の相対的な位置座標を計算し、適正範囲内に前記指定枠を入れ替え、配置できるものでなければならない。また、不正防止用試験問題において前記指定枠は不要であるため、当該指定枠の入れ替え処理終了後、前記指定枠検知手段に予め登録された所定の色或いは濃度を有する前記指定枠を削除するように設定されていなければならない。更に、前記指定枠入替手段は、乱数等を使用し、複数通りの入れ替え順序を設定可能なものとするとよい。
【００１５】
前記指定枠入替手段により、前記指定枠を入れ替えた際には、各設問及び各設問に属する選択肢の番号を入れ替えられた後の順序に応じ、付け替える必要がある。そこで、前記指定枠入替手段に、各設問及び各設問に属する選択肢の番号を入れ替えられた後の順序に応じて自動的に付け替える番号付替部を設けるとよい。これにより、前記指定枠入替手段により前記指定枠が入れ替えられた後に、ユーザが各設問及び各設問に属する選択肢の番号を付け替える手間を省くことができる。
【００１６】
不正防止用試験問題は、その基となる試験問題の各設問に選択肢を有する場合、当該選択肢が入れ替えられるため、前記問題データ作成手段により付与された各設問の正解データについても、入れ替えられた選択肢の順序に応じ正解が変化することから、正解データを修復しなければならない。また、各設問の正解データをそのまま不正防止用試験問題へ付与したのでは、受験者に各設問の解答を知らせてしまうことになる。そこで、前記記入枠入替手段により入れ替えられた選択肢の順序に応じ正解データを修復すると共に、当該正解データを暗号化する暗号コード付与部を前記指定枠入替手段に備えるとよい。これにより、入れ替え順序に応じた正解データの修復及び当該正解データの暗号化を自動的に行うことができる。また、不正防止用試験問題に各設問に対する解答が暗号コードとして表示されるため、受験者による不正行為を防止することが可能となる。尚、前記暗号コード付与部による正解データの暗号コードは、バーコードやＱＲコードなどの２次元コードであればよい。
【００１７】
前記処理済問題データ記憶手段は、前記指定枠入替手段により前記試験問題における前記指定枠の順序を入れ替えられた処理済問題データ、即ち不正防止用試験問題の問題データを記憶させることができればよく、前記問題データ記憶手段と同様に、コンピュータのハードディスクや当該コンピュータに格納されている電子データを書き込み、記憶させることができるフロッピディスク、ＣＤ−Ｒ、ＭＯなどの記憶媒体を適用することができる。また、前記指定枠入替手段により作成された複数通りの前記不正防止用試験問題の問題データを格納できるものでなければならない。これにより、ユーザの要求に応じ、複数の異なる不正防止用試験問題を前記出力装置により所定部数記録用紙へ出力することができる。
【発明の効果】
【００１８】
以上のように構成される本発明の不正防止用試験問題作成システムによれば、簡単な作業により、試験時における受験者によるカンニングなどの不正行為の防止を目的とした試験用紙を作成することが可能となる。
【発明を実施するための最良の形態】
【００１９】
以下添付図面に基づいて本発明の不正防止用試験問題作成システムを詳細に説明する。
【００２０】
本発明の不正防止用試験問題作成システムの概略図を示しているのが図１である。本システムは、試験問題の問題データを作成し、当該試験問題の各設問及び各設問に属する選択肢の領域を指定枠により設定し、各設問の正解データを付与するパーソナルコンピュータ(端末装置)１と、パーソナルコンピュータ１で作成した試験問題、或いはパーソナルコンピュータ１で処理された不正防止用試験問題を記録用紙に形成する出力装置２と、手書きにより各設問及び各設問に属する選択肢の領域が設定されている試験問題を読取る画像読取装置３とから構成されている。
【００２１】
本システムにおいて、パーソナルコンピュータ１は、問題データを作成するためのワードプロセッサソフト、或いは専用ソフトを作動させることができるものでなければならない。また、本図において、出力装置２及び画像読取装置３は、それぞれ別々にパーソナルコンピュータ１と接続されているが、複写機能と、スキャナ機能とを備えたフルカラー複合機を適用する場合には、フルカラー複合機１台をパーソナルコンピュータ１と接続する構成とすることもできる。尚、本図において、パーソナルコンピュータ１は出力装置２及び画像読取装置３に直接接続されているが、サーバを設け、複数のパーソナルコンピュータ１を情報通信ネットワークを介して当該サーバに接続させる構成とすることもできる。
【００２２】
本発明において出力装置として適用される電子写真方式を用いたカラー画像形成装置の概略構成図を示しているのが図２である。本概略構成図は、接触帯電器で感光体表面を帯電した後、レーザ光線の照射により静電潜像を形成し、この静電潜像をトナーにより現像するゼログラフィエンジンをイエロー、マゼンタ、シアン、ブラックの各色について備えたタンデム型のカラー電子写真方式の画像形成装置のＩＯＴ（イメージアウトプットターミナル：画像出力部）の概要が示されている。尚、図中では画像形成装置の画像処理部などは省略している。
【００２３】
この画像形成装置のＩＯＴは、図中矢印Ａの方向にて回転する４つの感光体２１Ｙ、２１Ｍ、２１Ｃ、２１Ｋと、この各感光体の表面を帯電する接触帯電器２２Ｙ、２２Ｍ、２２Ｃ、２２Ｋと、帯電された各感光体表面を各色の画像情報に基づいて変調された露光光により露光し、各感光体上に静電潜像を形成するＲＯＳ（レーザ出力部）２３Ｙ、２３Ｍ、２３Ｃ、２３Ｋと、各感光体上の静電潜像を各色現像剤で現像して感光体上にトナー像を形成する現像器２４Ｙ、２４Ｍ、２４Ｃ、２４Ｋと、感光体上の各色トナー像を中間転写体ベルト２６に転写する一次転写器２５Ｙ、２５Ｍ、２５Ｃ、２５Ｋと、中間転写体ベルト２６上のトナー像を記録用紙Ｐに転写する二次転写器２７と、記録用紙Ｐに転写されたトナー像を定着する定着器２９と、記録用紙Ｐを収納する用紙トレイＴと、各感光体の表面をクリーニングするクリーナ(図示せず)と、各感光体表面の残留電荷を除去する除電器(図示せず)と、中間転写体ベルト２６表面をクリーニングするベルトクリーナ２８とから構成されている。
【００２４】
本構成図に示されている画像形成装置における画像形成動作としては、先ず、画像読取装置（図示せず）で原稿から読み取られた原画像信号、或いは外部のパーソナルコンピュータ（図示せず）などで作成された原画像信号は画像処理部（図示せず）に入力される。この入力画像信号は、各色の画像情報に分解された後、ＲＯＳ（レーザ出力部）２３Ｙ、２３Ｍ、２３Ｃ、２３Ｋに入力され、レーザ光線Ｌが変調される。そして、この変調されたレーザ光線Ｌは、接触帯電器２２Ｙ、２２Ｍ、２２Ｃ、２２Ｋにより一様帯電された感光体２１Ｙ、２１Ｍ、２１Ｃ、２１Ｋの表面に照射される。この各感光体表面にレーザ光線Ｌがラスタ照射されると、各感光体上にはそれぞれ入力画像信号に対応した静電潜像が形成される。続いて、各色現像器２４Ｙ、２４Ｍ、２４Ｃ、２４Ｋにより各感光体上の静電潜像がトナーにより現像され、各感光体上にトナー像が形成される。各感光体上に形成されたトナー像は、各一次転写器２５Ｙ、２５Ｍ、２５Ｃ、２５Ｋにより中間転写体ベルト２６に転写される。この中間転写体ベルト２６へトナー像の転写が終了した各感光体は、クリーナにより表面に付着した残留トナーなどの付着物がクリーニングされ、除電器により残留電荷が除去される。
【００２５】
次に、中間転写体ベルト２６上のトナー像は、二次転写器２７により、用紙トレイから送られてくる記録用紙Ｐ上に転写された後、定着器２９により記録用紙Ｐ上に転写されたトナー像が定着され所望の画像が得られる。記録用紙Ｐ上へのトナー像の転写が終了した中間転写体ベルト２６は、ベルトクリーナ２８により表面に付着した残留トナーなどの付着物がクリーニングされ、一回の画像形成動作が終了する。
【００２６】
本発明において適用される画像読取装置の概略構成図を示しているのが図３である。この画像読取装置３は、その上面に開口部を有し、この上面開口部には、原稿(図示せず)を載置するためのプラテンガラス３１が取り付けられている。このプラテンガラス３１上には、読み取るべき画像を下向きにした状態で、所定の位置に原稿が載置される。画像読取装置３の上部には、原稿をプラテンガラス３１上に押圧するためのプラテンカバー３２が、開閉自在に設けられている。
【００２７】
また、画像読取装置３の内部には、プラテンガラス３１上に載置された原稿(図示せず)の画像を、照明する照射手段としてのランプ３３と、ランプ３３から照射された光を効率よく原稿面に集光するリフレクタ３４と、原稿からの反射光像を水平方向に反射するフルレートミラー３５と、このフルレートミラー３５からの反射光像を折り返すように反射する２枚のハーフレートミラー３６、３７と、これら２枚のハーフレートミラー３６、３７からの反射光像を縮小結像する結像レンズ３８と、遮光手段としてのサジタルストッパー３９と、結像レンズ３８によって結像された光像を電気信号に変換するＣＣＤ(Charge Coupled Device) イメージセンサ等からなる光電変換手段としてのラインイメージセンサ４０とが設けられている。結像レンズ３８としては、例えば、ダブルガウスタイプのレンズが用いられる。また、上記ＣＣＤイメージセンサ４０として、カラー画像を読み取るためには、カラー画像をＢ（ブルー），Ｇ（グリーン），Ｒ（レッド）の３色で読み取るカラーＣＣＤイメージセンサが用いられる。
【００２８】
本構成において、ランプ３３及びリフレクタ３４と、フルレートミラー３５とは、フルレートキャリッジ(図示せず)に搭載されており、このフルレートキャリッジは、副走査方向に沿って所定の速度Ｖで移動するように構成されている。また、２枚のハーフレートミラー３６、３７は、ハーフレートキャリッジ(図示せず)に搭載されており、このハーフレートキャリッジは、同じく副走査方向に沿って、フルレートキャリッジの半分の速度１／２・Ｖで移動するように構成されている。その結果、プラテンガラス３１上に載置された原稿は、所定の速度で移動するランプ３３、リフレクタ３４及びフルレートミラー３５と、２枚のハーフレートミラー３６、３７によって、光路長を変化させずに、結像レンズ３８を介してＣＣＤイメージセンサ４０上に、その全面の画像が走査露光されるようになっている。
【００２９】
そして、原稿を読取る際には、プラテンガラス３１上に載置された原稿の画像が、ランプ３３から照射され、且つリフレクタ３４によって集光された光によって照明され、当該原稿からの反射光像は、フルレートミラー３５とハーフレートミラー３６、３７を介して、結像レンズ３８によって、ＣＣＤイメージセンサ４０上に縮小結像される。この時、結像レンズ３８によってＣＣＤイメージセンサ４０上に縮小結像される原稿からの反射光像は、その一部がサジタルストッパー３９で遮光され、ＣＣＤイメージセンサ４０は、各々の画素ごとに入射光の強さに応じて光電変換を行い、これによって原稿画像に対応した画像信号（ＲＧＢ信号）が得られる。
【００３０】
本発明の不正防止用試験問題作成システムにより作成された試験問題と、不正防止用試験問題とを示しているのが図４である。分図(ａ)には、問題データ作成手段により作成された試験問題Ｐ1が示されており、本図における試験問題Ｐ1は、３つの設問から成り、各設問は３つの選択肢を有している。そして、試験問題Ｐ1の設問１は、設問指定枠Ｑ1により囲まれており、設問１の選択肢Ａ〜Ｃは、選択肢指定枠Ｓ1A、Ｓ1B、Ｓ1Cにより囲まれている。また、設問指定枠Ｑ1の左下には、設問１の解答が正解データＡ1として付与されている。設問２及び設問３についても同様に、設問指定枠Ｑ2、Ｑ3によりそれぞれの設問が囲まれ、選択肢指定枠Ｓ2A、Ｓ2B、Ｓ2C及び選択肢指定枠Ｓ3A、Ｓ3B、Ｓ3Cにより各設問の選択肢が囲まれ、設問２及び設問３の解答が正解データＡ2及びＡ3として示されている。尚、本図における設問指定枠及び選択肢指定枠は、便宜上、それぞれ太線及び二重線で示されているが、これはそれぞれ異なる色或いは濃度を有することを示している。
【００３１】
また、分図(ｂ)には、試験問題Ｐ1の各設問及び各設問に属する選択肢が入れ替えられた不正防止用試験問題Ｐ2が示されている。分図(ｂ)に示されているように、不正防止用試験問題Ｐ2の設問１〜３は、試験問題Ｐ1の設問１、設問２、設問３をそれぞれ不正防止用試験問題Ｐ2の設問３、設問１、設問２へ入れ替えたものである。そして、各設問に属する選択肢もそれぞれ入れ替えられている。また、各設問の左下には、各設問の正解データの暗号コードＣ1、Ｃ2、Ｃ3が形成されている。更に、試験問題Ｐ1で設問及び選択肢がそれぞれ囲まれていた設問指定枠及び選択肢指定枠は、削除されている。
【００３２】
ユーザが本システムのパーソナルコンピュータ１により試験問題Ｐ1を作成し、試験問題Ｐ1がパーソナルコンピュータ１により処理され、不正防止用試験問題Ｐ2が作成されるまでの流れを、本発明の不正防止用試験問題作成システムのブロック図を示している図５、ユーザの作業に関するフローチャートを示している図６及びパーソナルコンピュータの処理に関するフローチャートを示している図７により説明する。
【００３３】
ここで、図５の本システムのブロック図において、パーソナルコンピュータ１は、問題データ作成手段１１と、問題データ記憶手段１２と、指定枠検知手段１３と、指定枠入替手段１４と、処理済問題データ記憶手段１５とから構成されている。そして、指定枠入替手段１４は、番号付替部１４ａと、暗号コード付与部１４ｂとを備えている。
【００３４】
先ず、ユーザによる作業について説明する。試験問題Ｐ1の作成にあたりユーザは、問題データ作成手段１１により問題データを作成する(図６、ステップＳ１)。そして、各設問を設問指定枠Ｑ1、Ｑ2、Ｑ3、更に、各設問に属する選択肢を設問１であれば、選択肢指定枠Ｓ1A、Ｓ1B、Ｓ1Cにより囲む(同ステップＳ２)。その後、各設問の正解データＡ1、Ａ2、Ａ3を付与する(同ステップＳ３)。ここで、設問指定枠及び選択肢指定枠については、入れ替え処理を行う便宜上、それぞれ所定の色或いは濃度を予め設定し、指定枠検知手段１３にこれら所定の色或いは濃度を登録させる。尚、設問指定枠及び選択肢指定枠は、手書きで設定することもでき、この場合においても、それぞれ所定の色或いは濃度を予め設定し、指定枠検知手段１３にこれら所定の色或いは濃度を登録させるとよい。
【００３５】
次に、パーソナルコンピュータ１での処理について説明する。問題データ作成手段１１により作成された試験問題Ｐ1の問題データ、或いは、手書きにより設問指定枠及び選択肢指定枠が設定された試験問題Ｐ1を画像読取装置３により読取った問題データは、問題データ記憶手段１２により記憶される(図７、ステップＳ１１)。そして、問題データ記憶手段１２に記憶された問題データにおける各指定枠の色或いは濃度と、指定枠検知手段１３に予め登録された所定の色或いは濃度とを照合させ、一致しているならば、設問指定枠及び選択肢指定枠として検知され(同ステップＳ１２)、指定枠入替手段１４において、各指定枠を入れ替えるための乱数が発生する(同ステップＳ１３)。その後、乱数に従い、設問指定枠が入れ替えられ(同ステップＳ１４)、更には、各設問の選択肢指定枠が入れ替えられる(同ステップＳ１５)。各指定枠の入れ替え処理が終了すると、番号付替部１４ａにより、設問番号や選択肢番号が表示順に付け替えられると共に、暗号コード付与部１４ｂにより、選択肢指定枠の入替えに伴う正解データの変化が修復され、各設問の正解データが暗号コードとして所定の位置に付与される(同ステップＳ１６)。そして、指定枠入替手段１４により、各設問の入替え順に応じ、各設問の不正防止用試験問題Ｐ2における相対的な位置座標を計算し、各設問が適正範囲内に配置されると共に、指定枠検知手段１３に予め設定されている所定の色或いは濃度を有する設問指定枠及び選択肢指定枠が削除され(同ステップＳ１７)、処理済問題データ記憶手段１５に入れ替え処理された問題データが記憶される(同ステップＳ１８)。ここで、不正防止用試験問題Ｐ2の出力枚数が１枚である場合には、１回の入れ替え処理で終了し、出力枚数が複数枚である場合には、ステップＳ１３に戻り、新たに異なった乱数により設問指定枠及び選択肢指定枠の入れ替え処理が行われる(同ステップＳ１９)。
【００３６】
一方、図７のステップＳ１２において、指定枠検知手段１３により設問指定枠及び選択肢指定枠が検知されなかった場合は、通常の複写処理、即ち、試験問題Ｐ1が出力され(図７、ステップＳ２１)、出力枚数が１枚である場合、複写処理は終了し、出力枚数が複数枚である場合、ステップＳ２１に戻り、出力枚数が所定の枚数に達するまで複写処理を繰り返す(同ステップＳ２２)。
【００３７】
設問指定枠及び選択肢指定枠により、各設問及び各設問に属する選択肢が囲まれている試験問題Ｐ1を本システムの画像読取装置３により読取る際の解像度は、設問指定枠及び選択肢指定枠を指定枠入替手段１４により入れ替えられた処理済問題データの相対的な位置ずれを１ｍｍ程度を上限とすることが望ましいため、その２分の１となる０．５ｍｍ単位の方眼座標に区切り識別するのがよい。これにより、指定枠入替手段１４で設問指定枠及び選択肢指定枠を入れ替えた後の各指定枠の位置ずれを最小限に抑えることが可能となる。
【００３８】
本システムにおいては、試験問題Ｐ1の各設問を設問指定枠、各設問に属する選択肢を選択肢指定枠でそれぞれ囲んでおり、外側の設問指定枠を上位階層とし、内側の選択肢指定枠を下位階層とする２階層の構成を基本としている。ここで、指定枠が３種類以上、つまり、３階層以上の構成となっている場合には、それぞれの最下位階層、例えば、図４分図(ａ)における選択肢指定枠Ｓ1Aの内側に更に複数の指定枠が存在する時にはその指定枠を選択肢指定枠と判断し、当該選択肢指定枠以外の指定枠を上位階層である設問指定枠と判断するように指定枠検知手段１３を設定するとよい。このように、指定枠検知手段１３を設定することにより、各階層の指定枠が図４分図(ａ)のように異なる色、または同色、或いは、異なる濃度、または同濃度の何れであっても、正確に設問指定枠及び選択肢指定枠を検知することができる。また、試験問題Ｐ1の設問のみを入れ替えるのであれば、各設問を設問指定枠で囲み、１種類の指定枠、つまり、１階層の構成としても入れ替え処理が可能である。
【００３９】
手書きの指定枠を閉ループ判定により判定する方法を示しているのが図８である。分図(ａ)には、選択肢「Ａ 東京」が手書きの選択肢指定枠ＳAにより囲まれているのが示されている。そして、分図(ｂ)には、手書きの選択肢指定枠ＳAを基に設定された選択肢指定枠ＳBが示されている。尚、本図においては、各分図の下方に示されているようにｘ軸、ｙ軸が設定されている。
【００４０】
手書きの指定枠を閉ループ判定により判定する際には、先ず、手書きの選択肢指定枠ＳAの色或いは濃度と、指定枠検知手段１３に予め登録された所定の色或いは濃度とを照合させ、一致しているか確認をする。この時、一致しているのであれば、分図(ａ)に示されているように、選択肢指定枠ＳA上のｘ軸方向及びｙ軸方向の座標における最小値及び最大値に該当する点Ｖｍｉｎ、Ｖｍａｘが指定枠検知手段１３により検知される。そして、この点Ｖｍｉｎ、Ｖｍａｘを対角の頂点とする四角形を選択肢指定枠ＳBとして設定する(分図(ｂ))。これにより、手書きの選択肢指定枠ＳA上の２点を代表させて閉ループ判定を行うことにより、手書きの指定枠であっても指定枠検知手段１３において検知することができる。
【００４１】
このように、端末装置１に備えられた問題データ作成手段１１を適用せず、手書きにより試験問題の設問指定枠及び選択肢指定枠を設定した場合においても、手書きにより設定する指定枠の色或いは濃度を予め指定枠検知手段１３に登録させておくことにより、画像読取装置３で当該試験問題を読取るだけで不正防止用試験問題を作成することができる。そのため、本発明の不正防止用試験問題作成システムを使用するユーザは、プログラミング等のコンピュータに関する高度な知識を必要とせず、簡単な作業により不正防止用試験問題を作成することが可能となる。
【００４２】
また、試験問題に限らず、入れ替え処理を希望する書面、例えば、複数の写真が並べられている書面について各写真の順序を入れ替えたい場合や新聞記事について各記事の順序を入れ替え、記事のレイアウトを模索したい場合などにおいても問題データ作成手段１１、或いは、手書きにより入れ替え処理を行う領域を設定することにより、入れ替え処理を施した複数種類の書面を簡単に作成することができる。
【００４３】
更に、指定枠検知手段１３により検知された指定枠に囲まれた領域が指定枠入替手段１４に入れ替えられること、そして、指定枠検知手段１３に予め設定されている所定の色或いは濃度が指定枠入替手段１４により削除されることから、これら設定を別の用途に適用することも可能である。例えば、解答欄を有する試験問題において、問題データ作成手段１１により、各設問に対する解答を予め設定された所定の色或いは濃度で記入し、問題データ記憶手段１２に記憶させる。そして、所定の色或いは濃度で設定されているのは指定枠ではないため、入れ替え処理は行わず、処理済問題データ記憶手段１５には解答が記入されていない試験問題が処理済問題データとして記憶されるように設定する。これにより、試験時においては、処理済問題データ記憶手段１５に記憶された解答が記入されていない試験問題を出力装置２により記録用紙へ形成し、試験後においては、問題データ記憶手段１２に記憶された解答が記入された試験問題を出力装置２により記録用紙へ形成し、試験問題の作成及び答え合わせを簡単に行うことが可能となる。
【００４４】
最後に、本発明の不正防止用試験問題作成システムにより作成された不正防止用試験問題は、前述の通り、当該不正防止用試験問題の基となった試験問題の各設問及び各設問に属する選択肢に入れ替え処理を行う際、これら設問及び選択肢の番号を入れ替えられた順序に応じ付け替えると共に、各設問に対し正解データの暗号コードが暗号コード付与部１４ｂにより付与される。そのため、ＯＣＲ処理等された設問の解答と、当該設問に付与された暗号コードとを照合させることにより、当該不正防止用試験問題を自動採点機能により採点することができる。
【図面の簡単な説明】
【００４５】
【図１】本発明の不正防止用試験問題作成システムの概略図を示している図である。
【図２】本発明において出力装置として適用される電子写真方式を用いたカラー画像形成装置の概略構成図を示している図である。
【図３】本発明において適用される画像読取装置の概略構成図を示している図である。
【図４】本発明の不正防止用試験問題作成システムにより作成された試験問題と、不正防止用試験問題とを示している図である。
【図５】本発明の不正防止用試験問題作成システムのブロック図である。
【図６】ユーザの作業に関するフローチャートを示している図である。
【図７】パーソナルコンピュータの処理に関するフローチャートを示している図である。
【図８】手書きの指定枠を閉ループ判定により判定する方法を示している図である。
【符号の説明】
【００４６】
１・・・パーソナルコンピュータ、１１・・・問題データ作成手段、１２・・・問題データ記憶手段、１３・・・指定枠検知手段、１４・・・指定枠入替手段、１４ａ・・・番号付替部、１４ｂ・・・暗号コード付与部、１５・・・処理済問題データ記憶手段、２・・・出力装置、３・・・画像読取装置
【図１】
2006215382.tif 000003
【図２】
2006215382.tif 000004
【図３】
2006215382.tif 000005
【図４】
2006215382.tif 000006
【図５】
2006215382.tif 000007
【図６】
2006215382.tif 000008
【図７】
2006215382.tif 000009
【図８】
2006215382.tif 000010